(57)【要約】【課題】  ユニット建物に梁なし空間を形成すること。【解決手段】  柱１１と床梁１２と天井梁１３を接合した建物ユニット１０を用いてなるユニット建物１Ａにおいて、相隣る建物ユニット２０Ｂのそれぞれに定めた梁省略部をそれら建物ユニット２０Ｂの梁省略接合部４０にて互いに並置してなるもの。【選択図】  図４
2006249698.tif 000002
【特許請求の範囲】
【請求項１】
柱と床梁と天井梁を接合した建物ユニットを用いてなるユニット建物において、
相隣る建物ユニットのそれぞれに定めた梁省略部をそれら建物ユニットの梁省略接合部にて互いに並置してなることを特徴とするユニット建物。
【請求項２】
相隣る各下階建物ユニットの上に上階建物ユニットを搭載し、それら下階建物ユニットから上階建物ユニットに渡る階段を設け、下階建物ユニットの天井梁省略部と上階建物ユニットの床梁省略部を階段の上部に配置した請求項１に記載のユニット建物。
【請求項３】
相隣る各下階建物ユニットの上に上階建物ユニットを搭載し、それら下階建物ユニットから上階建物ユニットに渡る吹き抜け空間を設け、下階建物ユニットの天井梁省略部と上階建物ユニットの床梁省略部を吹き抜け空間の内部に配置した請求項１又は２に記載のユニット建物。
【請求項４】
相隣る建物ユニットの上に屋根ユニットを搭載し、屋根ユニットの傾斜天井の垂れ壁のうち、それら建物ユニットの天井梁省略接合部の上に位置することとなる垂れ壁を省略した請求項１〜３のいずれかに記載のユニット建物。
【請求項５】
相隣る建物ユニットの梁省略部に交差する各建物ユニットの柱を省略した請求項１〜４のいずれかに記載のユニット建物。
【発明の詳細な説明】
【技術分野】
【０００１】
本発明はユニット建物に関する。
【背景技術】
【０００２】
従来、特許文献１に記載の如く、柱と床梁と天井梁を接合した建物ユニットを用いてなるユニット建物において、相隣る建物ユニットのそれぞれに定めた柱省略コーナー部を柱省略接合部にて互いに突き合せ配置し、柱を省略した柱なし空間を形成するものがある。
【特許文献１】特開2001-348958
【発明の開示】
【発明が解決しようとする課題】
【０００３】
特許文献１に記載される如くの従来のユニット建物では、柱を省略して柱なし空間を形成するだけであり、建物の天井側に梁を省略した梁なし空間を形成するところがない。
【０００４】
このため、下階建物ユニットから上階建物ユニットに渡る階段を設けるとき、特に建物ユニットの平面視で短辺側となる妻方向に沿って階段を設けるとき、下階建物ユニットの天井梁と上階建物ユニットの床梁が階段の頭上高さを制限する結果、それらの梁の下部に緩勾配階段を設けることができず、階段のレイアウトに制約がある。
【０００５】
また、下階建物ユニットから上階建物ユニットに渡る吹き抜け空間を設けるとき、下階建物ユニットの天井梁と上階建物ユニットの床梁が吹き抜け空間内に出てしまう。
【０００６】
本発明の課題は、ユニット建物に梁なし空間を形成することにある。
【課題を解決するための手段】
【０００７】
請求項１の発明は、柱と床梁と天井梁を接合した建物ユニットを用いてなるユニット建物において、相隣る建物ユニットのそれぞれに定めた梁省略部をそれら建物ユニットの梁省略接合部にて互いに並置してなるようにしたものである。
【０００８】
請求項２の発明は、請求項１の発明において更に、相隣る各下階建物ユニットの上に上階建物ユニットを搭載し、それら下階建物ユニットから上階建物ユニットに渡る階段を設け、下階建物ユニットの天井梁省略部と上階建物ユニットの床梁省略部を階段の上部に配置したものである。
【０００９】
請求項３の発明は、請求項１又は２の発明において更に、相隣る各下階建物ユニットの上に上階建物ユニットを搭載し、それら下階建物ユニットから上階建物ユニットに渡る吹き抜け空間を設け、下階建物ユニットの天井梁省略部と上階建物ユニットの床梁省略部を吹き抜け空間の内部に配置したものである。
【００１０】
請求項４の発明は、請求項１〜３のいずれかの発明において更に、相隣る建物ユニットの上に屋根ユニットを搭載し、屋根ユニットの傾斜天井の垂れ壁のうち、それら建物ユニットの天井梁省略接合部の上に位置することとなる垂れ壁を省略したものである。
【００１１】
請求項５の発明は、請求項１〜４のいずれかの発明において更に、相隣る建物ユニットの梁省略部に交差する各建物ユニットの柱を省略したものである。
【発明の効果】
【００１２】
（請求項１）
(a)ユニット建物において、相隣る建物ユニットの梁省略部を互いに並置した梁省略接
合部を設けた。従って、建物の内部に梁なし空間を形成できる。
【００１３】
（請求項２）
(b)下階建物ユニットの天井梁省略部と上階建物ユニットの床梁省略部を階段の上部に
配置した。従って、階段の頭上高さを制限する梁がなくなり、緩勾配階段を設けることができる。緩勾配階段を建物の妻方向に沿って設けたり、建物の中央に配置でき、間取りレイアウトの自由度を向上できる。
【００１４】
（請求項３）
(c)下階建物ユニットの天井梁省略部と上階建物ユニットの床梁省略部を吹き抜け空間
の内部に配置した。従って、梁のない美しい吹き抜け空間を形成できる。
【００１５】
（請求項４）
(d)建物ユニットの天井梁省略接合部の上に位置する、屋根ユニットの垂れ壁を省略し
たから、建物ユニットの梁なし空間の上部で垂れ壁もなくし、美しい傾斜天井を形成できる。
【００１６】
（請求項５）
(e)建物ユニットの梁省略部に交差する柱も省略することにより、建物の内部に柱と梁
のない左右上下に広々した空間を形成できる。即ち、広々した階段空間や吹き抜け空間を形成できる。
【発明を実施するための最良の形態】
【００１７】
図１は建物ユニットを示す模式図、図２はユニット建物の柱省略接合部と梁省略接合部を示す模式図、図３は柱省略接合部の補強構造を示す模式図、図４は実施例１のユニット建物を示し、（Ａ）は間取図、（Ｂ）はブロックパターン図、図５は階段を示し、（Ａ）は本発明例を示す模式図、（Ｂ）は従来例を示す模式図、図６は実施例２のユニット建物を示す間取図、図７は図６のブロックパターン図、図８はユニット建物の吹き抜け空間を示し、（Ａ）は本発明例を示す模式図、（Ｂ）は従来例を示す模式図、図９は実施例３のユニット建物を示し、（Ａ）は間取図、（Ｂ）はブロックパターン図、図１０はユニット建物の傾斜屋根を示し、（Ａ）は本発明例を示す模式図、（Ｂ）は参考例を示す模式図、図１１はユニット建物の梁なし空間及び傾斜屋根を示し、（Ａ）は本発明例を示す模式図、（Ｂ）は参考例を示す模式図である。
【実施例】
【００１８】
本発明はユニット建物１において、梁なし空間を形成するプランニングに関するものであるが、最初に、本発明の後述する実施例において用いられる、(A)建物ユニット１０の
構成、(B)ユニット建物１の柱省略接合部、（C）ユニット建物１の梁省略接合部について説明する。
【００１９】
(A)建物ユニット１０の構成（図１）
ユニット建物１は、複数の建物ユニット１０を水平方向と鉛直方向に隣接設置して構築され、１階建や２階建、更には３階建等の中高層建物をも構築できる。
【００２０】
建物ユニット１０は、図１に示す如く、角鋼管製柱１１と、形鋼製床梁１２と、形鋼製天井梁１３を箱形に接合した骨組構造体である。建物ユニット１０は、柱１１の下端部にジョイントピース１１Ｊを介して床梁１２を溶接し、柱１１の上端部にジョイントピース１３Ｊを介して天井梁１３を溶接して構成される。建物ユニット１０は、床梁１２を省略
できる。
【００２１】
建物ユニット１０は、少なくとも１個のコーナー部を柱１１が省略された柱省略コーナー部としてなる柱省略建物ユニット２０Ａに変形できる。柱省略建物ユニット２０Ａは、工場生産段階、建築現場への輸送段階で、柱省略コーナー部に仮柱１４（図３）を着脱できる。
【００２２】
建物ユニット１０は、少なくとも１個の床梁１２及び／又は少なくとも１個の天井梁１３を省略してなる梁省略建物ユニット２０Ｂに変形できる。梁省略建物ユニット２０Ｂは、工場生産段階、建築現場への輸送段階で、梁省略部に仮梁（不図示）を着脱できる。
【００２３】
建物ユニット１０は、少なくとも１個のコーナー部を柱１１が省略された柱省略コーナー部とし、かつ少なくとも１個の床梁１２及び／又は少なくとも１個の天井梁１３を省略してなる、柱省略建物ユニット２０Ａと梁省略建物ユニット２０Ｂを併合した如くの柱梁省略建物ユニット２０Ｃに変形できる。
【００２４】
(B)ユニット建物１の柱省略接合部
ユニット建物１は、その建物内の一部において柱省略建物ユニット２０Ａ（又は柱梁省略建物ユニット２０Ｃでも可）を用い、図２に示す如く、複数個の柱省略建物ユニット２０Ａを隣接設置し、各柱省略建物ユニット２０Ａの柱省略コーナー部を互いに突き合せて柱省略接合部３０を形成できる。
【００２５】
相隣る柱省略建物ユニット２０Ａの柱省略接合部３０を含む同一面内で、それらの柱省略コーナー部に交差配置されている各柱省略建物ユニット２０Ａの天井梁１３を継ぎ天井梁１３Ａとし、相隣る柱省略建物ユニット２０Ａの柱省略接合部３０にて相対する継ぎ天井梁１３Ａ同士を接合する。
【００２６】
このとき、相隣る継ぎ天井梁１３Ａは、図３に示す如く、柱省略コーナー部まで（柱１１の横断面分）延長され、両継ぎ天井梁１３Ａに渡ってそれらの上フランジとウエブとリップの外側に被嵌するＵ字状上外側添板３１と、両継ぎ天井梁１３Ａに渡ってそれらの両フランジの内側に添設される上内側添板３２とともに、高力ボルト３３等でボルト締結され、かつ両継ぎ天井梁１３Ａに渡ってそれらの下フランジとウエブとリップの外側に被嵌するＵ字状下外側添板３４と、両継ぎ天井梁１３Ａに渡ってそれらの下フランジの内側に添設される下内側添板３５とともに、高力ボルト３６等でボルト締結される。
【００２７】
尚、１階柱省略建物ユニット２０Ａの継ぎ天井梁１３Ａは、図３（Ｂ）に示す如く、上フランジと上外側添板３１に貫通設置されるガイドピン３７に２階柱省略建物ユニット２０Ａ（柱省略されない建物ユニット１０でも可）の短柱１１Ａ（柱１１でも可）の端板ガイド孔を嵌通することにて、２階柱省略建物ユニット２０Ａの床梁１２を載せ置きされる。そして、２階柱省略建物ユニット２０Ａの床梁１２は、下フランジと、その内側に添設される座金プレート３７を、前述の高力ボルト３３等で１階柱省略建物ユニット２０Ａの継ぎ天井梁１３Ａに共締めされる。
【００２８】
(C)ユニット建物１の梁省略接合部
ユニット建物１は、その建物内の一部において梁省略建物ユニット２０Ｂ（又は柱梁省略建物ユニット２０Ｃでも可）を用い、図２に示す如く、左右及び／又は上下で相隣る梁省略建物ユニット２０Ｂのそれぞれに定めた梁省略部（床梁省略部、天井梁省略部）を互いに並置して梁省略接合部４０を形成できる。
【００２９】
（実施例１）（図４、図５）
図４、図５のユニット建物１Ａは、２階建をなす建物内の一部範囲において、下階の４個の建物ユニット１０のそれぞれに、洗面及び浴室１０１、トイレ及びキッチン１０２、老人室１０３、階段１０４を設ける。階段１０４は建物ユニット１０の妻方向（建物ユニット１０の短辺方向）に沿って延在される。ユニット建物１Ａは、相隣る下階建物ユニット１０の上に上階建物ユニットを搭載し、下階建物ユニット１０から上階建物ユニットに渡る階段１０４を設けたものである。尚、洗面及び浴室１０１とトイレ及びキッチン１０２は建物北側に配置され、老人室１０３と階段１０４は建物中央に配置される。
【００３０】
ユニット建物１Ａは、図５（Ａ）に示す如く、階段１０４の上部に梁省略接合部４０を定め、梁省略接合部４０を梁なし空間１００に臨ませる。即ち、ユニット建物１Ａは、下階の階段１０４が設けられる建物ユニット１０と、該建物ユニット１０の階下床面側で相隣る建物ユニット１０を梁省略建物ユニット２０Ｂとし、それら２個の梁省略建物ユニット２０Ｂの相隣接部で、それらの天井梁１３を省略して天井梁省略部を形成する。また、それら２個の梁省略建物ユニット２０Ｂの上に搭載される上階建物ユニットも梁省略建物ユニット２０Ｂとし、それら２個の梁省略建物ユニット２０Ｂの天井梁省略部に対応する床梁１２を省略して床梁省略部を形成する。
【００３１】
そして、ユニット建物１Ａは、２個の下階梁省略建物ユニット２０Ｂの天井梁省略部と、２個の上階梁省略建物ユニット２０Ｂの床梁省略部を階段１０４の上部に定めた梁省略接合部４０にて左右上下に並置し、階段１０４の上部に梁なし空間１００を形成する。尚、図５（Ｂ）は階段１０４の上部に下階建物ユニット１０の天井梁１３、上階建物ユニット１０の床梁１２が設けられ、階段１０４の上の頭上高さが低く、頭がぶつかるおそれがあることを示す。
【００３２】
本実施例によれば以下の作用効果を奏する。
(a)ユニット建物１Ａにおいて、相隣る建物ユニット２０Ｂの梁省略部を互いに並置し
た梁省略接合部４０を設けた。従って、建物の内部に梁なし空間１００を形成できる。
【００３３】
(b)下階建物ユニット２０Ｂの天井梁省略部と上階建物ユニット２０Ｂの床梁省略部を
階段１０４の上部に配置した。従って、階段１０４の頭上高さを制限する梁がなくなり、緩勾配階段１０４を設けることができる。緩勾配階段１０４を建物の妻方向に沿って設けたり、建物の中央に配置でき、間取りレイアウトの自由度を向上できる。
【００３４】
階段１０４を建物の中央に配置したことにより、洗面及び浴室１０１、トイレ及びキッチン１０２を建物北側に集約して家事動線ＡＬを確保し、老人室１０３を水回り（洗面及び浴室１０１）につなげて加齢配慮できる。
【００３５】
尚、ユニット建物１Ａにおいて、建物ユニット２０Ｂの梁省略部に交差する柱１１も省略すること（柱梁省略建物ユニット２０Ｃを用いること）により、建物の内部に柱１１と梁１２、１３のない左右上下に広々した空間を形成できる。即ち、広々した階段空間を形成できる。
【００３６】
（実施例２）（図６〜図８）
図６、図７のユニット建物１Ｂは、２階建をなす建物内の一部において、相隣る２個の下階建物ユニット１０を柱梁省略建物ユニット２０Ｃとするとともに、それらの下階建物ユニット２０Ｃの上に搭載される上階建物ユニット１０も柱梁省略建物ユニット２０Ｃとする。また、２個の下階建物ユニット２０Ｃに相隣る２個の下階建物ユニット１０を柱省略建物ユニット２０Ａとするとともに、それらの下階建物ユニット２０Ａの上に搭載される上階建物ユニット１０も柱省略建物ユニット２０Ａとする。
【００３７】
ユニット建物１Ｂは、図６〜図８（Ａ）に示す如く、２個の下階柱梁省略建物ユニット２０Ｃによりリビング１１１を形成し、それら下階建物ユニット２０Ｃから上階柱梁省略建物ユニット２０Ｃに渡る梁なし空間１００たる吹き抜け空間１１２を設け、吹き抜け空間１１２の内部に梁省略接合部４０を定める。即ち、ユニット建物１Ｂは、２個の下階柱梁省略建物ユニット２０Ｃの天井梁１３を省略した天井梁省略部と、２個の上階柱梁省略建物ユニット２０Ｃの床梁１２を省略した床梁省略部を、吹き抜け空間１１２の内部に定めた梁省略接合部４０にて左右上下に並置する。
【００３８】
更に、ユニット建物１Ｂは、図６〜図８（Ａ）に示す如く、２個の下階柱梁省略建物ユニット２０Ｃと２個の上階柱梁省略建物ユニット２０Ｃと、それら４個の柱梁省略建物ユニット２０Ｃに相隣接する２個の下階柱省略建物ユニット２０Ａと２個の上階柱省略建物ユニット２０Ａの中央会合部に柱省略接合部３０を設ける。即ち、ユニット建物１Ｂは、下階柱梁省略建物ユニット２０Ｃの天井梁省略部に交差する柱１１を省略した柱省略コーナー部と、上階柱梁省略建物ユニット２０Ｃの床梁省略部に交差する柱１１を省略した柱省略コーナー部と、下階柱省略建物ユニット２０Ａの柱省略コーナー部と、上階柱省略建物ユニット２０Ａの柱省略コーナー部を上下階に渡る柱省略接合部３０にて突き合せ配置するものである。柱省略接合部３０は吹き抜け空間１１２に臨んで、梁省略接合部４０に交差配置されるものになる。柱省略接合部３０は、前述図２、図３の如くに補強される。尚、図８（Ｂ）は吹き抜け空間１１２の内部に上下階の柱１１、床梁１２、天井梁１３が出るものである。
【００３９】
本実施例によれば、実施例１の(a)〜(d)の作用効果に加え、以下の作用効果を奏する。
(a)ユニット建物１Ｂにおいて、相隣る建物ユニット２０Ｃの梁省略部を互いに並置し
た梁省略接合部４０を設けた。従って、建物の内部に梁なし空間１００を形成できる。
【００４０】
(b)下階建物ユニット２０Ｃの天井梁省略部と上階建物ユニット２０Ｃの床梁省略部を
吹き抜け空間１１２の内部に配置した。従って、梁のない美しい吹き抜け空間１１２を形成できる。
【００４１】
(c)建物ユニット２０Ｃの梁省略部に交差する柱１１も省略することにより、建物の内
部に柱１１と梁１２、１３のない左右上下に広々した空間１００を形成できる。即ち、広々した吹き抜け空間１１２を形成できる。また、１階リビング１１１にシアター１１３をつなげる大空間も確保できる。
【００４２】
（実施例３）（図９〜図１１）
図９、図１０のユニット建物１Ｃは、２階の梁なし空間１００たる寝室１２１を形成するように相隣る２個の建物ユニット１０を柱梁省略建物ユニット２０Ｃとする。即ち、２個の柱梁省略建物ユニット２０Ｃは、それらの天井梁１３を省略した天井梁省略部を梁省略接合部４０にて左右に並置し、梁省略接合部４０を梁なし空間１００に臨ませる。
【００４３】
ユニット建物１Ｃは、図９、図１０（Ａ）、図１１（Ａ）に示す如く、相隣る２個の柱梁省略建物ユニット２０Ｃの上に棟側の屋根ユニット１３１と、軒側の屋根パネル１３２を搭載し、それらの傾斜天井屋根１３１Ａ、１３２Ａを連続形成する。ユニット建物１Ｃは、屋根ユニット１３１の傾斜天井屋根１３１Ａの垂れ壁１３１Ｂ（建物ユニットの天井梁に対応して設けられる）のうち、柱梁省略建物ユニット２０Ｃの梁省略接合部４０の上に位置することとなる垂れ壁１３１Ｂを省略してある。図１０（Ａ）において、５０は垂れ壁省略部である。
【００４４】
更に、ユニット建物１Ｃは、図９、図１０（Ａ）、図１１（Ａ）に示す如く、相隣る２個の柱梁省略建物ユニット２０Ｃの天井梁省略部の両端部で、該天井梁省略部に交差する
柱１１を省略した柱省略コーナー部を設け、それら柱省略コーナー部を柱省略接合部３０にて突き合せ配置するものである。柱省略接合部３０は、寝室１２１に臨んで梁省略接合部４０に交差配置するものになる。柱省略接合部３０は、前述図２、図３の如くに補強される。尚、図１０（Ｂ）、図１１（Ｂ）は、屋根ユニット１３１の傾斜天井屋根１３１Ａの垂れ壁１３１Ｂを柱梁省略建物ユニット２０Ｃの梁省略接合部４０の上に配置したものである。
【００４５】
本実施例によれば以下の作用効果を奏する。
(a)ユニット建物１Ｃにおいて、相隣る建物ユニット２０Ｃの梁省略部を互いに並置し
た梁省略接合部４０を設けた。従って、建物の内部に梁なし空間１００を形成できる。
【００４６】
(b)建物ユニット２０Ｃの天井梁省略接合部４０の上に位置する、屋根ユニット１３１
の垂れ壁１３１Ｂを省略したから、建物ユニット２０Ｃの梁なし空間１００の上部で垂れ壁１３１Ｂもなくし、美しい傾斜天井屋根１３１Ａを形成できる。また、寝室１２１の梁なし空間１００をロフト１２２に組合せて新空間を提案することもできる。
【００４７】
(c)建物ユニット２０Ｃの梁省略部に交差する柱１１も省略することにより、建物の内
部に柱１１と梁１２、１３のない左右上下に広々した空間１００を形成できる。即ち、広々した寝室１２１を形成できる。
【００４８】
以上、本発明の実施例を図面により詳述したが、本発明の具体的な構成はこの実施例に限られるものではなく、本発明の要旨を逸脱しない範囲の設計の変更等があっても本発明に含まれる。
【図面の簡単な説明】
【００４９】
【図１】図１は建物ユニットを示す模式図である。
【図２】図２はユニット建物の柱省略接合部と梁省略接合部を示す模式図である。
【図３】図３は柱省略接合部の補強構造を示す模式図である。
【図４】図４は実施例１のユニット建物を示し、（Ａ）は間取図、（Ｂ）はブロックパターン図である。
【図５】図５は階段を示し、（Ａ）は本発明例を示す模式図、（Ｂ）は従来例を示す模式図である。
【図６】図６は実施例２のユニット建物を示す間取図である。
【図７】図７は図６のブロックパターン図である。
【図８】図８はユニット建物の吹き抜け空間を示し、（Ａ）は本発明例を示す模式図、（Ｂ）は従来例を示す模式図である。
【図９】図９は実施例３のユニット建物を示し、（Ａ）は間取図、（Ｂ）はブロックパターン図である。
【図１０】図１０はユニット建物の傾斜屋根を示し、（Ａ）は本発明例を示す模式図、（Ｂ）は参考例を示す模式図である。
【図１１】図１１はユニット建物の梁なし空間及び傾斜屋根を示し、（Ａ）は本発明例を示す模式図、（Ｂ）は参考例を示す模式図である。
【符号の説明】
【００５０】
１Ａ、１Ｂ、１Ｃ  ユニット建物
１０、２０Ａ、２０Ｂ、２０Ｃ  建物ユニット
１１  柱
１２  床梁
１３  天井梁
３０  柱省略接合部
４０  梁省略接合部
１００  梁なし空間
１０４  階段
１１２  吹き抜け空間
１３１  屋根ユニット
１３１Ａ  傾斜天井屋根
１３１Ｂ  垂れ壁
【図１】
2006249698.tif 000003
【図２】
2006249698.tif 000004
【図３】
2006249698.tif 000005
【図４】
2006249698.tif 000006
【図５】
2006249698.tif 000007
【図６】
2006249698.tif 000008
【図７】
2006249698.tif 000009
【図８】
2006249698.tif 000010
【図９】
2006249698.tif 000011
【図１０】
2006249698.tif 000012
【図１１】
2006249698.tif 000013